(57)【要約】  多方向一面光学成形フィルムが開示される。光学成形フィルムは、薄い装飾フィルムとして用いるために、構造面に形成される２つ以上の異なる重なり合うフレネルパターンを備えた一面のみの構造物を有するフィルムを含むことができる。
2005509896.tif 000002
【特許請求の範囲】
【請求項１】
第１の主面を含む基板と、
前記基板の前記第１の主面の第１の部分に形成される第１のフレネルパターンに対応する第１の群のファセットと、
前記基板の前記第１の主面の第２の部分に形成される第２のフレネルパターンに対応する第２の群のファセットと、を備え、前記第１のフレネルパターンが前記基板の前記第１の主面の選択領域において前記第２のフレネルパターンと重なり、さらに前記第１のフレネルパターンおよび前記第２のフレネルパターンが前記選択領域において互いを妨害する光学フィルム。
【請求項２】
前記選択領域が、前記第１の部分のすべてを含む、請求項１に記載の光学フィルム。
【請求項３】
前記選択領域が、前記第２の部分のすべてを含む、請求項１に記載の光学フィルム。
【請求項４】
前記第１のフレネルパターンが、直線状のフレネルパターンを含む、請求項１に記載の光学フィルム。
【請求項５】
前記第２のフレネルパターンが、直線状のフレネルパターンを含む、請求項１に記載の光学フィルム。
【請求項６】
前記第１のフレネルパターンが、環状のフレネルパターンを含む、請求項１に記載の光学フィルム。
【請求項７】
前記第２のフレネルパターンが、環状のフレネルパターンを含む、請求項１に記載の光学フィルム。
【請求項８】
前記第１のフレネルパターンが、放射状のフレネルパターンを含む、請求項１に記載の光学フィルム。
【請求項９】
前記第２のフレネルパターンが、放射状のフレネルパターンを含む、請求項１に記載の光学フィルム。
【請求項１０】
前記第１のフレネルパターンが、フレネルプリズムを含む、請求項１に記載の光学フィルム。
【請求項１１】
前記第２のフレネルパターンが、フレネルプリズムを含む、請求項１に記載の光学フィルム。
【請求項１２】
前記第１のフレネルパターンが、フレネルレンズを含む、請求項１に記載の光学フィルム。
【請求項１３】
前記第２のフレネルパターンが、フレネルレンズを含む、請求項１に記載の光学フィルム。
【請求項１４】
前記基板の前記第１の主面に位置する接着剤の層をさらに含む、請求項１に記載の光学フィルム。
【請求項１５】
前記基板の前記第２の主面に位置する接着剤の層をさらに含む、請求項１に記載の光学フィルム。
【請求項１６】
第１の主面を含む基板と、
前記基板の前記第１の主面の第１の部分に形成される第１の長手軸を含む直線状のフレネルパターンを含む第１のフレネルパターンに対応する第１の群のファセットと、
前記基板の前記第１の主面の第２の部分に形成される第２の長手軸を含む直線状のフレネルパターンを含む第２のフレネルパターンに対応する第２の群のファセットと、を備え、前記第１のフレネルパターンが前記基板の前記第１の主面の選択領域において前記第２のフレネルパターンと重なり、前記第１の長手軸が前記第２の長手軸と角度を形成し、さらに前記第１のフレネルパターンおよび前記第２のフレネルパターンが前記選択領域において互いを妨害する光学フィルム。
【請求項１７】
前記選択領域が、前記第１の部分のすべてを含む、請求項１６に記載の光学フィルム。
【請求項１８】
前記選択領域が、前記第２の部分のすべてを含む、請求項１６に記載の光学フィルム。
【請求項１９】
前記角度が、０°より大きい、請求項１６に記載の光学フィルム。
【請求項２０】
前記角度が、約９０°である、請求項１６に記載の光学フィルム。
【請求項２１】
前記角度が、１８０°より小さい、請求項１６に記載の光学フィルム。
【請求項２２】
前記第１のフレネルパターンが、フレネルプリズムを含む、請求項１６に記載の光学フィルム。
【請求項２３】
前記第２のフレネルパターンが、フレネルプリズムを含む、請求項１６に記載の光学フィルム。
【請求項２４】
前記第１のフレネルパターンが、フレネルレンズを含む、請求項１６に記載の光学フィルム。
【請求項２５】
前記第２のフレネルパターンが、フレネルレンズを含む、請求項１６に記載の光学フィルム。
【請求項２６】
第１の主面を含む基板と、
前記基板の前記第１の主面の第１の部分に形成される第１の長手軸を含む直線状のフレネルパターンを含む第１のフレネルパターンに対応する第１の群のファセットと、
前記基板の前記第１の主面の第２の部分に形成される第２の長手軸を含む直線状のフレネルパターンを含む第２のフレネルパターンに対応する第２の群のファセットと、を備え、前記第１のフレネルパターンが前記基板の前記第１の主面の選択領域において前記第２のフレネルパターンと重なり、前記第１の長手軸が前記第２の長手軸と０°より大きい角度を形成し、さらに前記第１のフレネルパターンおよび前記第２のフレネルパターンが前記選択領域において互いを妨害する光学フィルム。
【請求項２７】
ベース基板と、
前記ベース基板に取り付けられる光学フィルムとを有する光学アセンブリであって、前記光学フィルムは、
第１の主面を含むフィルム基板と、
前記フィルム基板の前記第１の主面の第１の部分に形成される第１のフレネルパターンに対応する第１の群のファセットと、
前記フィルム基板の前記第１の主面の第２の部分に形成される第２のフレネルパターンに対応する第２の群のファセットと、を備え、前記フィルム基板の前記第１の主面の選択領域において前記第１のフレネルパターンが前記第２のフレネルパターンに重なり、前記第１のフレネルパターンおよび前記第２のフレネルパターンが前記選択領域において互いを妨害する、光学アセンブリ。
【請求項２８】
前記光学フィルムが、前記フィルム基板の第２の主面と前記ベース基板との間に、接着剤の層をさらに含む、請求項２７に記載の光学アセンブリ。
【請求項２９】
前記光学フィルムが、前記フィルム基板の前記第１の主面と前記ベース基板との間に、接着剤の層をさらに含む、請求項２７に記載の光学アセンブリ。
【請求項３０】
前記ベース基板が、窓を含む、請求項２７に記載の光学アセンブリ。
【請求項３１】
前記ベース基板が、鏡を含む、請求項２７に記載の光学アセンブリ。
【請求項３２】
前記ベース基板が、光学ディスプレイパネルを含む、請求項２７に記載の光学アセンブリ。
【発明の詳細な説明】
【技術分野】
【０００１】
本発明は、光学フィルムの分野に関する。
【背景技術】
【０００２】
微細構造透明光学フィルムが、ガラス、鏡、車両、標識、天井および装飾目的の他の表面に用いられている。一例は、ファセイ（Ｆｕｔｈｅｙ）らによる特許文献１に記載されており、面取りガラスに似せるために用いられるフィルムが開示される。
【０００３】
本願と同一の譲受人に譲渡されたアンダーソン（Ａｎｄｅｒｓｏｎ）の特許文献２は、ウェブの実際の表面の像とは異なる実像または虚像を形成する光学的装飾ウェブについて述べている。アンダーソン（Ａｎｄｅｒｓｏｎ）の光学的装飾ウェブは、一方の面に一連の隆起および溝を有し、他方の面に平滑面を有する不透明または透明なポリマー材料のストリップである。光学的装飾ウェブによって形成される実像または虚像の例としては、金属製もしくは透明の凹面または凸面、たとえばドーム型天井を有する部屋にいると感じさせる凹型のアーチ型天井、自動車上の金属ストリップ、家具上のモールディング、または、ガラスパネルにわたって延在する半円筒状ガラスまたは金属棒などが挙げられる。
【０００４】
アンダーソン（Ａｎｄｅｒｓｏｎ）によって教示されたものをはじめとする光学的装飾ウェブは、さまざまな構造付きレンチキュラーフレネルパターンを含むことができる。これらの薄いフレネルレンズフィルムは、より厚い固体光学素子に類似した光学的機能性を提供するように構成されることができる。フレネルレンズフィルムの付随属性は、レンズフィルムが同等の固体レンズまたはプリズム面とほぼ同程度の高さまたは深さの投影を有するように肉眼では見えうることである。実際の厚さよりはるかに厚いように見える薄い装飾光学成形フィルム（ＯＳＦ）を作製するために、この特性を利用することができる。ＯＳＦレンズフィルムの表面は、直線状のフレネルプリズム、または人間の肉眼では容易に分解することができないほど小さい寸法の溝のアレイを含むレンズ面であってもよい。典型的には、フレネルレンズフィルム構造における溝の大部分の深さは一定のままであり、側壁の１つの角度（ファセット角として公知である）がアレイにわたって変化し、似せられる固体レンズまたはレンズ面の角度の各位置で概ね整合される。
【０００５】
【特許文献１】米国特許第５，８４０，４０７号明細書
【特許文献２】米国特許第３，９０８，０５６号明細書
【発明の開示】
【発明が解決しようとする課題】
【０００６】
フレネルレンズフィルムは、一面のみ構造物を有し、対向する面は滑らかであることが多いが、両面に構造物が形成されてもよい。一部の用途では、これにより、レンズフィルムの単体の設計の融通性および機能性が増大する。ある種の両面レンズフィルム設計は、独特の魅力的な外観を有し、装飾的なＯＳＦ用途における単面フィルムに関しても付加価値が高まる可能性がある。しかし、両面に構造物を有するフィルムの作製費用は一般的に、単面フィルムの作製費用より高い。この追加費用は、費用制約条件が厳しい可能性がある装飾的なＯＳＦ用途をはじめとする多くの用途では両面フィルムの利用を妨げる可能性がある。
【課題を解決するための手段】
【０００７】
本発明は、薄い装飾光学成形フィルムとして用いるために、構造面に形成される２つ以上の異なる重なり合うフレネルパターンを備えた一面のみの構造物を有するフィルムを提供する。
【０００８】
本発明の重なり合うフレネルパターンは、さまざまなパターンの妨害を生じる。この妨害は、独特の光学特性を有する複雑な光学パターンを提供する。
【０００９】
本発明の目的のために、本発明の装置／フィルムにおける各フレネルパターンの少なくとも一部は妨害されるが、フレネルパターンは、ファセットおよびライザのパターンであり、妨害がなければフレネルレンズまたはフレネルプリズムを形成することになるであろう。
【００１０】
本発明によって提供される利点の１つは、両面に構造物を有するフィルムときわめて類似しているように（フィルムにおいて構造面と同じ側に位置する見る人にとって）見える一面のみに構造物を有する装飾的光学フィルムを提供することである。
【００１１】
本発明の光学フィルムによって提供される光学的効果は、さまざまな物品と組合せて、装飾目的および／または物品に対する保護、またはたとえば大きな板ガラス窓または扉などの物品の存在に注意を喚起するといった人に対する保護を提供することができる。たとえば、面取り切断または他の装飾的な効果に似せるために、窓または鏡に光学フィルムを塗布してもよい。光学フィルムはまた、自動車または自転車に反射警告テープとして用いられてもよい。フィルムはまた、安全性を改善するために、反射警告テープとして、衣服および上着に接着されてもよい。本発明はまた、たとえば、リボン、吹流し、包装紙、蝶ネクタイ、衣装、眼鏡類などの装飾として複数の用途がある。
【００１２】
一態様において、本発明は、第１の主面を含む基板と、基板の第１の主面の第１の部分に形成される第１のフレネルパターンに対応する第１の群のファセットと、基板の第１の主面の第２の部分に形成される第２のフレネルパターンに対応する第２の群のファセットと、を備え、第１のフレネルパターンが基板の第１の主面の選択領域において第２のフレネルパターンに重なり、さらに第１のフレネルパターンおよび第２のフレネルパターンが選択領域において互いを妨害する光学フィルムを提供する。
【００１３】
別の態様において、本発明は、第１の主面を含む基板と、基板の第１の主面の第１の部分に形成される第１の長手軸を含む直線状のフレネルパターンを含む第１のフレネルパターンに対応する第１の群のファセットと、基板の第１の主面の第２の部分に形成される第２の長手軸を含む直線状のフレネルパターンを含む第２のフレネルパターンに対応する第２の群のファセットと、を備え、第１のフレネルパターンが基板の第１の主面の選択領域において第２のフレネルパターンに重なり、第１の長手軸が第２の長手軸と角度を成し、さらに第１のフレネルパターンおよび第２のフレネルパターンが選択領域において互いを妨害する光学フィルムを提供する。
【００１４】
別の態様において、本発明は、第１の主面を含む基板と、基板の第１の主面の第１の部分に形成される第１の長手軸を含む直線状のフレネルパターンを含む第１のフレネルパターンに対応する第１の群のファセットと、基板の第１の主面の第２の部分に形成される第２の長手軸を含む直線状のフレネルパターンを含む第２のフレネルパターンに対応する第２の群のファセットと、を備え、基板の第１の主面の選択領域において第１のフレネルパターンが第２のフレネルパターンに重なり、第１の長手軸が第２の長手軸と０°より大きい角度を成し、さらに第１のフレネルパターンおよび第２のフレネルパターンが選択領域において互いを妨害する光学フィルムを提供する。
【００１５】
別の態様において、本発明は、ベース基板と、ベース基板に取り付けられる光学フィルムとを有する光学アセンブリであって、光学フィルムは、第１の主面を含むフィルム基板と、フィルム基板の第１の主面の第１の部分に形成される第１のフレネルパターンに対応する第１の群のファセットと、フィルム基板の第１の主面の第２の部分に形成される第２のフレネルパターンに対応する第２の群のファセットと、を備え、第１のフレネルパターンがフィルム基板の第１の主面の選択領域において第２のフレネルパターンに重なり、第１のフレネルパターンおよび第２のフレネルパターンが選択領域において互いを妨害する、光学アセンブリを提供する。
【００１６】
本発明のこれらおよび他の特徴および利点は、本発明のさまざまな図示された実施形態と共に後述される。
【発明を実施するための最良の形態】
【００１７】
肉眼では、一般的な一面フレネルレンズフィルムほど深くないフレネルパターンを有する単面フィルムは、両面構造物を有するフィルムときわめて類似しているように見える。すなわち各面が同一の２つのパターンのうちの１つによって切断されるように見える。２枚のフィルムの光学特性のすべてが同一であるとは限らないが、外観、すなわち単面フィルムおよび２面フィルムの装飾的ＯＳＦ特性はきわめて類似している。
【００１８】
光線追跡の観点から、単面フィルムと２面フィルムとの間の光学特性の主な差は、光の単独の垂直入射光線の方向が、単面レンズフィルムによって制御された屈折方向に一度だけ再指向されることができるという事実に帰すると考えられる。さらに、再指向は、フィルムに対して垂直である２つの平面の一方または他方に平行である１方向においてのみ生じうる。
【００１９】
対照的に、両側に直線状の溝、たとえば、対向面では直線状の溝に垂直に向けられる溝を有する２面レンズフィルムに入射する光の類似の光線は、はるかに多くの方向に屈折することによって再指向されうる。本発明の単面フィルムに関するこれらの限定条件にもかかわらず、外観は装飾目的の場合には利点を提供する。
【００２０】
２つ以上の重なり合うフレネルパターンが同一面に形成される場合には、構造面特徴部のアレイが形成される可能性がある。交差する溝がＶ字形の溝（たとえば似通った溝の深さを有する、一般的な直線状のフレネルレンズフィルム設計を含む）であり、パターン間の交差角度が９０°である場合には、矩形を基にしたピラミッド状の面特徴部のアレイが結果として生じる。溝の高さが交差する溝の間で異なる場合には、楔形および他のより複雑な形状の特徴部が形成される可能性がある。
【００２１】
以下にさらに詳細に述べる図示した横断面の一部の領域では、溝の高さの差が交差する直線状のフレネルパターンの間で生じる可能性がある。これは、これらのパターンのそれぞれにおける各周期の中心の溝が、高めおよび高さがほぼ一定である中心から離れた位置の溝より溝の高さが幾分低い可能性があるためである。
【００２２】
横断面において形成されるすべての特徴部の各面または「ファセット」は、面の直線状のフレネル構成要素パターンの１つにおける溝の壁と同一平面で整列されてもよい。大部分の特徴部に見える急峻な隣接するファセットは、重なり合う直線状のフレネルパターンの溝のそれぞれの垂直壁または「ライザ」に対応する。一列の隣接する特徴部の同一平面にあるファセットの各線は、交差するパターンの溝の間隔に等しい距離だけ離隔された切欠きを有する構成要素の直線状のフレネルパターンの１つの溝の壁と見なしてもよい。切欠きによって生じる溝の壁における不連続性は非常に密接に離隔されているため、人間の肉眼によって個別に見分けることができないことが好ましい。特徴部の列および行からなる面の矩形アレイは、多数の隣接する平行および交差する溝の壁に対応する同一平面のファセットと共に、その面に独特の全体的な外観を与え、微細な構成要素の直線状のフレネルパターンのそれぞれを合わせた巨視的な外観の組合せである。
【００２３】
図１ａ〜１ｃは、本発明による光学フィルムの図示した一実施形態を示している。図１ａ〜１ｃを参照すると、光学フィルム１０は、第１の主面１４および第２の主面１６を有する基板１２を備えている。基板１２は、たとえば、可塑化ポリ塩化ビニル、ポリカーボネート、酢酸酪酸セルロース、メチルメタクリレート、ポリスチレンなどの任意の適切な材料から製作されてもよい。しかし、材料は光に対して透明または半透明であることが好ましく、人間の肉眼で見ることができる光に対して透明または半透明であればさらに好ましい。
【００２４】
第１のフレネルパターン２０に対応する第１の群のファセット２２が、ｙ軸方向に平行である基板１２の第１の主面１４の第１の部分２４に形成される。第２のフレネルパターン３０に対応する第２の群のファセット３２が、ｘ軸方向に平行である基板１２の第１の主面１４の第２の部分３４に形成される。
【００２５】
第１のフレネルパターン２０は、図１ｂの断面図に見られるように、第１の主面１４に互いに隣接して形成されるフレネルパターン２０ａ，２０ｂを含む。同様に、第２のフレネルパターン３０は、図１ｃの断面図に見られるように、第１の主面１４に互いに隣接して形成されるフレネルパターン３０ａ，３０ｂを含む。
【００２６】
パターン２０ａ，２０ｂ，３０ａ，３０ｂは、同一のフレネルパターンであってもよいし、異なっていてもよい。さらに、光学フィルム１０は、基板１２にわたって互いに隣接して形成される複数のフレネルパターンを含んでもよく、その場合同一のフレネルパターンが繰り返されてもよいし、異なるフレネルパターンが基板１２にわたって交互に並んでもよい。
【００２７】
第１のフレネルパターン２０および第２のフレネルパターン３０は、基板１２に形成される一連のＶ字形の溝を含む。この実施形態に示されているように、Ｖ字形の溝は、基板１２に切欠き２８を形成する一定の深さを有する。図１ｂにおいて分かるように、Ｖ字形の溝は、ファセット２５およびライザ２６を含む。ファセット２５は、さまざまな傾斜を含むことができる。さらに、各パターンのピッチが、各切欠き２８の間の距離として定義される。図１ａ〜１ｃにおいて分かるように、この実施形態のピッチは、可変である。すなわち、切欠き２８の間の距離は、第１のフレネルパターン２０および第２のフレネルパターン３０の両方にわたって変化する。しかし、ピッチ、切欠きの深さ、ファセットの傾斜などが変化するか、または一定に保たれることによって、任意の適切なパターンを形成可能である。
【００２８】
第１のフレネルパターン２０は、基板１２の第１の主面１４の選択領域１８において、第２のフレネルパターン３０と重なる。選択領域１８において、第１のフレネルパターン２０および第２のフレネルパターン３０が互いを妨害し、新たな複雑なパターンを形成する。
【００２９】
第１の主面１４の選択領域１８において生じる第１のフレネルパターン２０と第２のフレネルパターン３０との間の妨害は、第１のフレネルパターン２０と第２のフレネルパターン３０との間の重なりの量に基づいて変化してもよい。たとえば、選択領域１８は、第１の部分２４全体および第２の部分３４の一部を含んでもよく、または選択領域１８は、第２の部分３４のすべておよび第１の部分２４の一部を含んでもよい。図１ａにおいて、たとえば、選択領域１８は、第１の部分２４および第２の部分３４の両方の一部を含んでいる。しかし、第１の部分２４も第２の部分３４も完全に重なっていない。
【００３０】
さらに、第１のフレネルパターン２０および第２のフレネルパターン３０は両方とも、たとえば、直線状、環状、放射状などのさまざまなタイプのパターンを含むことができる。これらのパターンは、レンズパターンであってもプリズムパターンであってもよい。たとえば、図１ａに示されているように、第１のフレネルパターン２０および第２のフレネルパターン３０は両方とも、直線状のフレネルレンズパターンである。第１のフレネルパターン２０は、ｙ軸に平行である第１の長手軸２７に沿って整列される直線状のパターンの形状を有する。第２のフレネルパターン３０は、ｘ軸に平行である第２の長手軸３６に沿って整列される直線状のパターンの形状を有する。
【００３１】
第１の長手軸２７および第２の長手軸３６は角度θをなし、この実施形態では角度θは９０°に等しいが、第１の長手軸２７と第２の長手軸３６との間の角度は、可変であってもよい。しかし、角度θは、下端で０°より大きいことが好ましい。角度θは、上端で１８０°より小さいことが好ましい。また、角度θは、約９０°であれば好ましい。各直線状のパターンの間で角度θを変化させることにより、独特の光学特性を有する複雑なパターンを形成することができる。
【００３２】
図１ｂ〜１ｃに示されているように、基板１２の第２の主面１６は、滑らか、すなわち任意の光学的に活性な構造物を有さない。しかし、第２の主面１６はまた、構造付きであってもよい。たとえば、第２の主面１６は、フレネルパターン、微小複製面などを含んでもよい。
【００３３】
さらに、本発明の光学フィルム１０は、たとえば反射コーティング、感圧接着剤などのさまざまタイプのコーティングおよび層と組合せて、さまざまな結果を実現してもよい。
【００３４】
たとえば、透明なポリマー材料から実質的に構成され、高い屈折率を有する別の光学フィルムが、第１のフレネルパターン２０および第２のフレネルパターン３０に付着され、外部素子による損傷からファセットを保護してもよい。さらに、光学フィルム１０はまた、基板１２の第２の主面１６に施される反射層を含み、基板１２によって透過される光を第１のフレネルパターン２０および第２のフレネルパターン３０によって反射してもよい。
【００３５】
上述したように、個別のフレネルパターンは、さまざまな形状を備えていてもよい。１つの変形が図２ａ〜２ｂに示されており、光学フィルム２００が第１の主面２１２を有する基板２１０を備えている。第１のフレネルパターン２２０は、第１の主面２１２に形成される。第１のフレネルパターン２２０は、ｙ軸と整列される直線状のパターンの形をとっている。図２ｂに形成される断面図に示されているように、第１のフレネルパターン２２０は、一定のピッチを有する。すなわち、パターンが基板２１０の第１の主面２１２に形成されるときの各Ｖ字形の溝における各切欠きの間の距離は実質的に一定に保持される。
【００３６】
環状パターンの形をとった第２のフレネルパターン２３０はまた、基板２１０の第１の主面２１２に形成される。環状パターンは、第１の主面２１２に形成される切欠きによって形成されるような半径が増大する複数の同心円を含む。第２のフレネルパターン２３０は、一定のピッチを有する。パターン２３０によって放射方向に移動するとき、Ｖ字形の溝によって形成されるような各同心円の間の距離が実質的に一定に保持される。
【００３７】
第１のフレネルパターン２２０および第２のフレネルパターン２３０のピッチが一定であるが、各パターンが第１の主面２１２に形成されるとき、切欠きの間の距離が変化するように、いずれかのパターンまたは両方のパターンのピッチが変化してもよい。ピッチのこのような変動は一般的にフレネルレンズパターンに関連していると考えられるが、一定のピッチを有するフレネルパターンは一般的にフレネルプリズムパターンに関連している。
【００３８】
第１のフレネルパターン２２０および第２のフレネルパターン２３０は、第１の主面２１２の選択領域２１８において互いを妨害する。示された実施形態において、選択領域２１８は、第１のフレネルパターン２２０および第２のフレネルパターン２３０によって占められる領域と同一の範囲を占めている。選択領域２１８における両方のパターンの妨害は、第１の主面２１２に新たなパターンを形成し、独特の光学特性を有する可能性がある。
【００３９】
図３は本発明の別の実施形態を示しており、第１のフレネルパターン３２０および第２のフレネルパターン３３０は環状パターンの形をとっている。第１のフレネルパターン３２０は、基板３１０の第１の主面３１２の第１の部分３１４に形成され、一定のピッチを有する。すなわち、パターンにおける同心円間の距離が、各同心円の間で同一である。第２のフレネルパターン３３０は、第１の主面３１２の第２の部分３１６に形成され、これも一定のピッチを有する。しかし、図３に示されているように、第１のフレネルパターン３２０のピッチは、第２のフレネルパターン３３０のピッチと等しくない。
【００４０】
図２ａとは異なり、選択領域３１８で互いを妨害する２つのパターン３２０，３３０は、選択領域３１８で完全に重なっていない。その代わり、第１のフレネルパターン３２０および第２のフレネルパターン３３０の両方の大部分が妨害されないままである。言い換えれば、基板２１０の第１の主面３１２の第１の部分３１４は、第２の部分３１６と完全に重ならない。
【００４１】
本発明の光学フィルムはまた、たとえば、装飾などのガラス面または鏡面に接着されてもよい。図４に示されているように、本発明による光学フィルムアセンブリ４００は、光学フィルム４２０およびベース基板４４０を備えている。光学フィルム４２０は、滑らかな第２の主面４２２および第２の主面４２２に対向する第１の主面４２４を有する。光学フィルム４２０の第１の主面４２４は、本発明の光学パターンを形成するある種の構造物を含む。ベース基板４４０は、たとえば、窓、鏡、光学ディスプレイパネル（たとえばＬＤＥディスプレイ）などの任意の適切な光学構造物の一部であってもよい。ベース基板４４０は、たとえばガラス、鏡、金属、ポリマー材料などの任意の適切な材料から作製されてもよい。
【００４２】
光学フィルム４２０は、たとえば、接着剤４３０によってベース基板４４０の表面に接着されてもよい。接着剤４３０は、ベース基板４４０に接着しやすくするために、たとえば、光学テープを作製するための除去可能なライナによって、光学フィルム４２０に接着されてもよい。このような実施形態において、ライナは除去され、光学テープは装飾的効果が望ましいベース基板４４０の領域上に位置決めされる。
【００４３】
接着剤は、たとえばシリコーン感圧接着剤、（メタクリル）アクリル感圧接着剤およびゴムベースの感圧接着剤などの透明な感圧接着剤であってもよい。透明な感圧接着剤の適切な例としては、ミネソタ州セントポールのミネソタ・マイニング・アンド・マニュファクチュアリング・カンパニー（Ｍｉｎｎｅｓｏｔａ  Ｍｉｎｉｎｇ  ａｎｄ  Ｍａｎｕｆａｃｔｕｒｉｎｇ  Ｃｏｍｐａｎｙ（Ｓｔ．Ｐａｕｌ，ＭＮ））によって作製された３Ｍ「リポジショナブルテープ（Ｒｅｐｏｓｉｔｉｏｎａｂｌｅ  Ｔａｐｅ）６６６」両面コートテープが挙げられる。適切な透明な感圧接着剤の具体的な一例としては、約０〜約２０重量％のアクリル酸および約１００〜約８０重量％のイソオクチルアクリレート、２−エチル−ヘキシルアクリレートまたはｎ−ブチルアクリレート組成物の少なくとも１つから誘導されるポリ（メタクリル）アクリル感圧接着剤が挙げられる。たとえば、約２〜約１０重量％のアクリル酸および約９０〜約９８重量％のイソオクチルアクリレートから誘導される感圧接着剤である。
【００４４】
本発明による別の光学フィルムアセンブリ５００が、図５に示されており、光学フィルム５２０およびベース基板５４０を備えている。光学フィルム５２０はまた、滑らかな第２の主面５２２および第２の主面５２２に対向する第１の主面５２４を有する。光学フィルム５２０の第１の主面５２４は、本発明の光学パターンを形成するある種の構造物を含む。ベース基板５４０は、たとえば、窓、鏡、光学ディスプレイパネル（たとえばＬＤＥディスプレイ）などの任意の適切な光学構造物の一部であってもよい。ベース基板５４０は、たとえばガラス、鏡、金属、ポリマー材料などの任意の適切な材料から作製されてもよい。
【００４５】
第１の主面５２４が基板５４０に面するように、光学フィルム５２０は、たとえば、接着剤５３０によって基板５４０の表面に接着されてもよい。光学フィルム５２０とベース基板５４０との間に空隙が実質的に存在しないように、図示されているように、接着剤５３０は第１の主面５２４に形成される構造物を満たすことが好ましい。図４に示した実施形態に関して説明したように、接着剤５３０は、ベース基板５４０に接着しやすくするために、たとえば、光学テープを作製するための除去可能なライナによって、光学フィルム５２０に接着されてもよい。このような実施形態において、ライナは除去され、光学テープは装飾的効果が望ましいベース基板５４０の領域上に位置決めされる。
【００４６】
上述したように、本発明によって形成されるフレネルパターンは、直線状、環状、放射状などの任意の適切な構成を含んでもよい。放射状のフレネルパターンを示す実施形態が、図６に示されている。図６において、第１のフレネルパターン６２０は、基板６１０の第１の主面６１２に形成される直線状のフレネルパターンである。第２のフレネルパターン６３０も放射状のフレネルパターン、すなわち、切欠きが中心６３４から外側に向かって放射状に広がるようなＶ字形の溝が形成されるパターンの形をとって第１の主面６１２に形成される。第１のフレネルパターン６２０は、第１の主面６１２の選択領域６１８において、第２のフレネルパターン６３０と重なる。重なりは、両方のフレネルパターンを妨害し、複雑なパターンを形成する。複雑なパターンの光学特性は、独特であり、上述したものと類似のさまざまな用途に提供される。
【００４７】
本願明細書に記載されたすべての参考文献および刊行物は、本開示内容にその全体を参照することによって本願明細書に明確に組込まれる。本発明の例示の実施形態について説明してきたが、本発明の範囲内で、可能な変形を参照することができる。本発明におけるこれらおよび他の変形および修正は、本発明の範囲を逸脱することなく、当業者には明白であり、本発明は本願明細書に記載した例示の実施形態に限定されるわけではないことを理解すべきである。したがって、本発明は、添付の特許請求の範囲によってのみ限定されるものとする。
【図面の簡単な説明】
【００４８】
【図１ａ】本発明の１つの光学フィルムの平面図である。
【図１ｂ】線１ｂ−１ｂに沿った図１ａの光学フィルムの下縁の断面図である。
【図１ｃ】図１ａの光学フィルムの側縁の断面図である。
【図２ａ】本発明による別の光学フィルムの平面図である。
【図２ｂ】図２ａの光学フィルムの下縁の断面図である。
【図３】本発明による光学フィルムの別の実施形態の平面図である。
【図４】本発明の光学フィルムアセンブリの断面図である。
【図５】本発明の別の光学フィルムアセンブリの断面図である。
【図６】本発明による光学フィルムの別の実施形態の平面図である。
【図１ａ】
2005509896.tif 000003
【図１ｂ】
2005509896.tif 000004
【図１ｃ】
2005509896.tif 000005
【図２ａ】
2005509896.tif 000006
【図２ｂ】
2005509896.tif 000007
【図３】
2005509896.tif 000008
【図４】
2005509896.tif 000009
【図５】
2005509896.tif 000010
【図６】
2005509896.tif 000011
【国際調査報告】
2005509896.tif 000012
2005509896.tif 000013
2005509896.tif 000014